(57)【特許請求の範囲】
【請求項１】
筐体と、スクリーンパネルと、表示モジュールとを有し、前記筐体は開口部を有するエンクロージャであって、前記筐体のその長手方向と直交する方向の断面はＵ字形であって、前記スクリーンパネルは前記開口部の上に配置され、前記筐体とともに空洞を構成し、前記表示モジュールは前記空洞の中に配置され、前記表示モジュールは前記スクリーンパネルの表示領域に対応し、
前記スクリーンパネル上の第１のベゼルおよび第２のベゼルは透光性のベゼルであり、前記第１のベゼルは、前記スクリーンパネルの前記表示領域の第１の縁と、前記第１の縁に最も近い前記筐体の縁との間の領域であり、前記第２のベゼルは、前記スクリーンパネルの前記表示領域の第２の縁と、前記第２の縁に最も近い前記筐体の縁との間の領域であり、前記第１の縁は前記第２の縁と平行であり、
前記透光性のベゼルは曇った艶消しの材料である不透明であっても透光性の材料を含む携帯端末。
【請求項２】
前記スクリーンパネル上の第３のベゼルおよび第４のベゼルは透光性のベゼルであり、
前記第３のベゼルは、前記スクリーンパネルの前記表示領域の第３の縁と、前記第３の縁に最も近い前記筐体の縁との間の領域であり、前記第４のベゼルは、前記スクリーンパネルの前記表示領域の第４の縁と、前記第４の縁に最も近い前記筐体の縁との間の領域であり、前記第３の縁は前記第４の縁と平行である、請求項１に記載の携帯端末。
【請求項３】
前記第１のベゼルおよび前記第２のベゼルはそれぞれ、前記表示領域の左側および右側にあって、前記第３のベゼルおよび前記第４のベゼルはそれぞれ、前記表示領域の上部および下部にある、請求項２に記載の携帯端末。
【請求項４】
前記透光性のベゼルは、
不透明であっても透光性のシルクスクリーンパターンが印刷されるベゼルを含む、請求項１〜３の何れか一項に記載の携帯端末。
【請求項５】
前記不透明であっても透光性のシルクスクリーンパターンは微粒化パターンを含む、請求項４に記載の携帯端末。
【請求項６】
前記表示モジュールは液晶パネルであり、
前記液晶パネル内の導光板の形状とサイズは、前記表示領域、前記第１のベゼル、および前記第２のベゼルによって構成される領域の形状とサイズと等しい、請求項１〜５の何れか一項に記載の携帯端末。
【請求項７】
前記表示モジュールは液晶パネルであり、
前記液晶パネル内の導光板の形状とサイズは、前記表示領域、前記第１のベゼル、前記第２のベゼル、前記第３のベゼルの一部または全体、および前記第４のベゼルの一部または全体によって構成される領域の形状とサイズと等しい、請求項２、請求項３、及び請求項２又は３を引用する請求項４及び５の何れか一項に記載の携帯端末。
【請求項８】
前記スクリーンパネルと対向するエンクロージャを除く、前記筐体の前記エンクロージャの他の部分は透光性の材料で形成される、請求項１〜７の何れか一項に記載の携帯端末。
【請求項９】
前記筐体の全体が透光性の材料で形成される、請求項１〜７の何れか一項に記載の携帯端末。
【請求項１０】
前記透光性の材料は、透明な材料または不透明であっても透光性の材料を含む、請求項７、８、または９に記載の携帯端末。
【発明の詳細な説明】
【技術分野】
【０００１】
本発明の実施形態は端末の製造分野に関し、特に携帯端末に関する。
【背景技術】
【０００２】
タッチスクリーン技術は、新しい人間対コンピュータのインタラクションの入力方法である。従来のキーボードによる入力方法に比べ、タッチスクリーンによる入力方法はより直感的である。さらに、タッチスクリーンの最も重要な特徴は、キーボードを必要としないので、スクリーンのサイズを相対的に大きくできるということである。このことは、ユーザーに、文字と画像の両方の観点で従来のスクリーンとは比べものにならない、より好ましい視覚的楽しみをもたらすことがある。タッチスクリーン技術の近年の急速な発展に伴い、タッチスクリーンのサイズは益々大きくなり、動作感度も益々高くなっている。そのため、タッチスクリーンを使った携帯端末は、現状では業界で主流になりつつあり、次第にキーボードを使った従来の携帯端末と置き換わりつつある。
【発明の概要】
【０００３】
既存の携帯端末のスクリーンパネル（Lens）には、表示領域（画像表示に使われる領域である透明な領域）以外の部分には一般に黒いベゼルが配置される（スクリーンパネル上の表示領域の縁と端末の筐体との間の部分は一般に黒色かその他の色であり、例えばいくつかの白い携帯電話では白いベゼルが使われる）。ほとんどの携帯端末では、製造工程のために、表示領域の縁と端末の筐体との間の部分は比較的広く、非透光性のベゼルは比較的広くなっている。限定されたサイズの携帯端末上でできるだけ良好な表示効果を実現するために、いくつかのメーカーでは一般に、狭ベゼル効果を実現するために、表示領域を拡大する方法を用いている。しかし、その方法では、LCD（Liquid Crystal Display、液晶表示）パネルをより大きいサイズにカスタマイズした上でさらに、非常に狭いスペース内で配置やケーブル配線を如何に行うか、ベゼルを狭くした後の携帯端末の強度を如何に確保するかなどの工程上の問題と、コストの問題とを考慮する必要がある。そのため、工程の複雑さやコストを増加させることなく狭ベゼル効果を如何に実現するかが、現在の解決すべき課題である。
【課題を解決するための手段】
【０００４】
本発明の実施形態は、工程の複雑さやコストを増加させることなくより良好な狭ベゼル効果を提供できる携帯端末を提供する。
【０００５】
第一の態様によれば、携帯端末が提供され、その携帯端末は、
筐体と、スクリーンパネルと、表示モジュールとを有し、筐体は開口部を有するエンクロージャであって、筐体のその長手方向と直交する方向の断面はU字形であって、スクリーンパネルは開口部の上に配置され、筐体とともに空洞を構成し、表示モジュールは空洞の中に配置され、表示モジュールはスクリーンパネルの表示領域に対応し、
スクリーンパネル上の第1のベゼルおよび第2のベゼルは透光性のベゼルであり、第1のベゼルは、スクリーンパネルの表示領域の第1の縁と、第1の縁に最も近い筐体の縁との間の領域であり、第2のベゼルは、スクリーンパネルの表示領域の第2の縁と、第2の縁に最も近い筐体の縁との間の領域であり、第1の縁は第2の縁と平行である。
【０００６】
第1の態様を参照すれば、本発明の実施形態の第1の実施可能な実装方法では、スクリーンパネルと対向するエンクロージャを除く、筐体のエンクロージャの他の部分は透光性の材料で形成される。
【０００７】
第1の態様を参照すれば、第2の実施可能な実装方法では、筐体全体が透光性の材料で形成される。
【０００８】
第1の態様を参照すれば、第3の実施可能な実装方法では、スクリーン上の第3のベゼルおよび第4のベゼルは透光性のベゼルであり、
第3のベゼルは、スクリーンパネルの表示領域の第3の縁と、第3の縁に最も近い筐体の縁との間の領域であり、第4のベゼルは、スクリーンパネルの表示領域の第4の縁と、第4の縁に最も近い筐体の縁との間の領域であり、第3の縁は第4の縁と平行である。
【０００９】
第1の態様または第1の態様の第3の実施可能な実装方法を参照すれば、第4の実施可能な実装方法では、透光性のベゼルは、
透明なベゼル、または不透明であっても透光性のシルクスクリーンパターンが印刷されるベゼルを含む。
【００１０】
第1の態様の第4の実施可能な実装方法を参照すれば、第5の実施可能な実装方法では、不透明であっても透光性のシルクスクリーンパターンは微粒化パターンを含む。
【００１１】
第1の態様を参照すれば、第6の実施可能な実装方法では、表示モジュールは液晶パネルを有し、
液晶パネル内の導光板の形状とサイズは、表示領域、第1のベゼル、および第2のベゼルによって構成される領域の形状とサイズと等しい。
【００１２】
第1の態様の第3の実施可能な実装方法を参照すれば、第7の実施可能な実装方法では、表示モジュールは液晶パネルを有し、
液晶パネル内の導光板の形状とサイズは、表示領域、第1のベゼル、第2のベゼル、第3のベゼルの一部または全体、および第4のベゼルの一部または全体によって構成される領域の形状とサイズと等しい。
【００１３】
第1の態様の第6または第7の実施可能な実装方法を参照すれば、第8の実施可能な実装方法では、液晶パネルのプラスチックのベゼルは透光性の材料で形成される。
【００１４】
第1の態様の第1、第2、または第8の実施可能な実装方法を参照すれば、第9の実施可能な実装方法では、透光性の材料は、透明な材料または不透明であっても透光性の材料を含む。
【００１５】
第1の態様の第3の実施可能な実装方法を参照すれば、第10の実施可能な実装方法では、第1のベゼルおよび第2のベゼルはそれぞれ、表示領域の左側および右側にあって、第3のベゼルおよび第4のベゼルはそれぞれ、表示領域の上部および下部にある。
【００１６】
本発明の実施形態は携帯端末を提供し、その携帯端末は、筐体と、スクリーンパネルと、表示モジュールとを有し、筐体は開口部を有するエンクロージャであって、筐体のその長手方向と直交する方向の断面はU字形であって、スクリーンパネルは開口部の上に配置され、筐体とともに空洞を構成し、表示モジュールは空洞の中に配置され、表示モジュールはスクリーンパネルの表示領域に対応し、スクリーンパネル上の第1のベゼルおよび第2のベゼルは透光性のベゼルである。スクリーンパネルの表示領域が表示モジュールによって放射された光を通す時、透光性のベゼルは表示領域と同調して光を通しうる。従来技術における黒いベゼルに比べて、工程の複雑さとコストを増加させることなくより良好な狭ベゼル効果が提供される。
【００１７】
本発明の実施形態における技術的な解決策および従来技術をより明確に説明するために、実施形態や従来技術の説明に必要な添付の図面を以下に簡潔に説明する。
【図面の簡単な説明】
【００１８】
【図１】本発明の実施形態に係る携帯端末の概略断面図である。
【図２】本発明の実施形態に係る携帯端末の概略構造図である。
【図３】本発明の実施形態に係る携帯端末のもう1つの概略構造図である。
【図４】本発明の実施形態に係る携帯端末のもう1つの概略構造図である。
【図５】本発明の実施形態に係る携帯端末の正面斜視図である。
【図６】本発明の実施形態に係る携帯端末のもう1つの正面斜視図である。
【発明を実施するための形態】
【００１９】
本発明の実施形態の目的、技術的な解決策、および利点をより明確にするために、本発明の実施形態に添付の図面を参照して、本発明の実施形態における技術的な解決策を明確かつ完全に下記に説明する。明らかに、説明される実施形態は、本発明の実施形態の全てではなく一部である。創造的な努力なしに当業者によって本発明の実施形態に基づいて得られる他の全ての実施形態は、本発明の保護範囲に含まれるものとする。
【００２０】
本発明の実施形態は、携帯端末1を提供する。図1は、本発明のこの実施形態に係る携帯端末1の概略断面図である。図1に示すように、携帯端末1は、筐体11と、スクリーンパネル12と、表示モジュール13とを有し、筐体11は開口部111を有するエンクロージャであって、筐体11のその長手方向と直交する方向の断面はU字形であって、スクリーンパネル12は開口部111の上に配置され、筐体11とともに空洞を構成し、表示モジュール13は空洞の中に配置され、表示モジュール13はスクリーンパネル12の表示領域123に対応する携帯端末であって、表示モジュール13がスクリーンパネル12の表示領域123に対応するということは、表示モジュール13が、スクリーンパネル12の表示領域123の、スクリーンパネル12に直交する方向への投影に、部分的または完全に重なっていると理解されうる。
【００２１】
図2は、本発明の本実施形態に係る携帯端末1の上面図である。図2に示すように、スクリーンパネル12上の第1のベゼル121および第2のベゼル122は透光性のベゼルであり、第1のベゼル121は、スクリーンパネル12の表示領域123の第1の縁1231と、第1の縁1231に最も近い筐体の縁112との間の領域であり、第2のベゼル122は、スクリーンパネル12の表示領域123の第2の縁1232と、第2の縁1232に最も近い筐体の縁113との間の領域であり、第1の縁1231は第2の縁1232と平行である。
【００２２】
典型的には、表示モジュール13は液晶（LCD）パネルである。表示モジュール13の中央部はLCD表示領域132であり、LCD表示領域132は、その上部のスクリーンパネル12の表示領域123に対応している（LCD表示領域132は、表示領域123の、スクリーンパネルに直交する方向への投影に完全に重なっていると理解されうる）。LCDパネルのプラスチックのベゼル131は、LCD表示領域132の両側にある。
【００２３】
スクリーンパネル12の下面において、第1のベゼル121および第2のベゼル122が位置する領域はシルクスクリーン領域である。従来技術では、非透光性パターンがシルクスクリーン印刷でその領域に印刷される。例えば、黒いベゼルを形成するためにはその領域の全てが黒色に印刷され、表示動作中にその黒いベゼルは表示領域に対してかなり際立つ。本発明の実施形態では、このシルクスクリーン領域にパターンが印刷されなくてもよく、そのため第1のベゼル121および第2のベゼル122は透明なベゼルであり、または、このシルクスクリーン領域に例えば微粒化パターンのような、不透明であっても光を通すことができるパターンが印刷されてもよい。表示領域123上に表示がなされている間、表示領域123の両側の第1のベゼル121および第2のベゼル122は光を通すことができ、第1のベゼル121および第2のベゼル122の輝度は表示領域の輝度と連動して変化することができるので、第1のベゼル121と表示領域との間、および第2のベゼル122と表示領域との間のコントラストは減少し、ユーザーはベゼルに気付きにくくなり、それにより狭ベゼル効果、またはベゼルなし効果さえが実現される。
【００２４】
図1に示す携帯端末1の部品の形状および結合関係は単なる例示であり、本発明のこの実施形態に包含されるがそれらに限定されるものではない。
【００２５】
必要に応じて、スクリーンパネル12上のベゼルを透光性のベゼルに変更することに加え、筐体11を透光性の筐体としてもよい。例えば、図3に示すように、
スクリーンパネル12に対向するエンクロージャ114を除く、筐体11のエンクロージャの他の部分115が透光性の材料で形成され、または、
筐体11の全体が透光性の材料で形成される。
【００２６】
透光性の材料は、それらに限定されないが、透明な材料、例えばポリ塩化ビニール（通称PVC）、ポリスチレン（通称PS）、ポリメチルメタクリレート（通称プレキシガラス）、メタクリル酸メチル（通称アクリル）、およびポリカーボネート（通称PC）、または、
透光性の艶消しの材料であってもよい、不透明であっても透光性の材料を含み、例えば、主に曇りまたは遮蔽効果を発生するための曇った艶消しの材料が使われて、それにより曇り、透光性、および不透明性が実現でき、さらに曇った艶消しの材料を作るために艶消しの粉末がプラスチックの材料に添加されてもよい。
【００２７】
このように、表示領域123上に表示がなされている間、携帯端末の筐体11もまた光を通すことができ、筐体11の輝度が表示領域123、第1のベゼル121、および第2のベゼル122と連動して変化し、そのため狭ベゼル効果がさらに強まる。
【００２８】
必要に応じて、スクリーンパネル12上の第1のベゼル121および第2のベゼル122が透光性のベゼルであることに加え、スクリーンパネル12上の第3のベゼル124および第4のベゼル125もまた、透光性のベゼルであってもよい。
【００２９】
図4に示すように、第3のベゼル124は、スクリーン12の表示領域123の第3の縁1233と、第3の縁1233に最も近い筐体の縁116との間の領域であり、第4のベゼル125は、スクリーンパネル12の表示領域123の第4の縁1234と、第4の縁1234に最も近い筐体の縁117との間の領域であり、第3の縁1233は第4の縁1234と平行である。
【００３０】
本実施形態では、第1のベゼル121および第2のベゼル122はそれぞれ、表示領域123の左側および右側にあり、第3のベゼル124および第4のベゼル125はそれぞれ、表示領域123の上部および下部にあり、第3のベゼル124および第4のベゼル125を透光性のベゼルにする具体的な方法は、第1のベゼル121および第2のベゼル122のそれと同じであるので、詳細は繰り返しては説明しない。加えて、第3のベゼル124および第4のベゼル125は、表示領域123の上部および下部に別々にあるベゼルであり、一般にイヤーピースや、カメラや、近接センサなどのデバイスが、携帯端末の上部ベゼルの上に配置され、マイクや、仮想または物理的なプッシュボタンなどのデバイスが、携帯端末の下部に配置され、そのため、第3のベゼル124および第4のベゼル125を透光性のベゼルとする場合、前述のデバイスへの影響を避けるために、必ずしも第3のベゼル124および第4のベゼル125の全体を透光性にする必要はなく、実際の必要性にしたがって第3のベゼル124および第4のベゼル125の一部を透光性にすればよいことに留意されたい。
【００３１】
さらに、表示モジュール13はまた、LED（Light Emitting Diode、発光ダイオード）パネルであってもよく、それらに限定しないが、通常のLEDパネル、OLED（Organic Light−Emitting Diode、有機発光ダイオード）パネル、またはAMOLED（Active Matrix Organic Light Emitting Diode、アクティブマトリクス有機発光ダイオード）パネルを含んでいてもよいということは言及に値する。表示モジュール13がLEDパネルの場合、その実装方法はLCDパネルと同じであり、そのため詳細は繰り返しては説明しない。
【００３２】
LEDパネルとLCDパネルの違いは、LEDパネルは多数のLEDドットマトリクスを含み、LEDは自発光素子であるため、LEDは導光板やバックライトを必要とせず、LEDパネルは駆動回路および制御回路によって、発光して画像を生成することである。しかしながら、LCDパネルは発光できないのでバックライトを必要とし、LCDパネルのバックライトは導光板およびバックライトランプを含み、画像が表示される必要がある場合は、LCDパネルのバックライトは常に発光状態にあり、液晶層において液晶分子の所定の偏向が発生し、TFTパネル上のTFTアレイを制御することにより、バックライトによって放射された光が透過され、偏光板を用いて所定の色彩が発生されて、それにより画像が生成される。
【００３３】
導光板は、LCDパネルに内蔵されている。一般に、LCDパネルは上から順に、偏光板、カラーフィルム基板（カラー光フィルタを有するガラス基板）、液晶層、TFT基板、偏光板、拡散板、導光板、および反射パネルであり、バックライト（例えば、冷陰極放電ランプ、またはLEDバックライト）が、導光板の片側、または平行に対向する2つの側に配置される。導光板は、光学等級のアクリルまたはポリカーボネートを用いたプレートであり、極度に高い反射率を有し光を吸収しないハイテクの材料が、UVシルクスクリーン印刷技術を用いて、光学等級のアクリル板の下面上に導光ポイントを印刷するために用いられる。光学等級のアクリル板は、その表面上の、ランプが発した光の残りを吸収する。光線がそれぞれの導光ポイントに入射した時に、反射光はあらゆる角度に拡散され、反射条件を破綻させた後に導光板の正面から放射されることにより、バックライトの線光源を面光源に変換することができる。
【００３４】
そのため、表示モジュール13がLCDパネルの場合、必要に応じて、第1のベゼル121および第2のベゼル122を透過した光が、表示領域123を透過した光と釣り合うようにするために、LCDパネルの導光板の面積を大きくしてもよい。図5に示すように、図5は携帯端末1の正面斜視図であり、破線の囲みが表示領域123を表し、表示領域123の下の実線の囲みが導光板133である。導光板133の面積はLCD表示領域132の面積より大きく、導光板133の形状とサイズは、表示領域123、第1のベゼル121、および第2のベゼル122で構成される領域の形状とサイズに等しいことが分かる。
【００３５】
必要に応じて、LCDパネルの導光板の面積は、導光板133の形状とサイズが表示領域123、第1のベゼル121、第2のベゼル122、第3のベゼル124、および第4のベゼル125で構成される領域の形状とサイズに等しくなるように、再びさらに大きくされてもよい。イヤーピースや、カメラや、近接センサなどのデバイスが、携帯端末の上部ベゼル上に配置され、マイクや、仮想または物理的なプッシュボタンなどのデバイスが、携帯端末の下部に配置されるという前述の記述を勘案すると、図6に示すように、導光板133の形状とサイズはまた、表示領域123、第1のベゼル121、第2のベゼル122、第3のベゼル124の一部、および第4のベゼル125の一部で構成される領域の形状とサイズに等しくなるようにされてもよいことは確かである。
【００３６】
前述の実施形態は、第1のベゼルおよび第2のベゼルはそれぞれ、表示領域の左側および右側にあって、第3のベゼルおよび第4のベゼルはそれぞれ、表示領域の上部および下部にある例によって説明された。実際のアプリケーションでは、第1のベゼルおよび第2のベゼルはそれぞれ、表示領域の上部および下部にあって、第3のベゼルおよび第4のベゼルはそれぞれ、表示領域の左側および右側にあってもよい。
【００３７】
必要に応じて、LCDパネルのプラスチックのベゼル131もまた、透光性の材料で形成されてもよい。
【００３８】
透光性の材料は、それらに限定されないが、例えばポリ塩化ビニール、ポリスチレン、ポリメチルメタクリレート、メタクリル酸メチル、およびポリカーボネートのような透明な材料、または、
透光性の艶消しの材料であってもよい、不透明であっても透光性の材料を含み、例えば、主に曇りまたは遮蔽効果を発生するための曇った艶消しの材料が使われて、それにより曇り、透光性、および不透明性が実現でき、さらに曇った艶消しの材料を作るために艶消しの粉末がプラスチックの材料に添加されてもよい。
【００３９】
最後に、本発明の実施形態で提供される携帯端末の構造は、携帯電話やタブレットコンピュータのような端末で使われてもよく、ここで携帯電話は、タッチスクリーンを有する携帯電話、キーボードを有する従来の携帯電話、またはタッチスクリーンおよびキーボードを組み合わせた携帯電話であってもよいということは言及に値する。
【００４０】
本発明の実施形態は携帯端末を提供し、その携帯端末は、筐体と、スクリーンパネルと、表示モジュールとを有し、筐体は開口部を有するエンクロージャであって、筐体のその長手方向と直交する方向の断面はU字形であって、スクリーンパネルは開口部の上に配置され、筐体とともに空洞を構成し、表示モジュールは空洞の中に配置され、表示モジュールはスクリーンパネルの表示領域に対応し、スクリーンパネル上の第1のベゼルおよび第2のベゼルは透光性のベゼルである。スクリーンパネルの表示領域が表示モジュールによって放射された光を通す時、透光性のベゼルは表示領域と同調して光を通しうる。そのため、工程の複雑さとコストを増加させることなくより良好な狭ベゼル効果が提供されうる。加えて、筐体もまた透光性の材料で形成されてもよく、その輝度は表示領域および透光性のベゼルの輝度と連動して変化して、狭ベゼル効果をさらに強める。
【００４１】
最後に、前述の実施形態は、本発明の技術的な解決策を単に説明することを意図しており、本発明を限定することを意図していないことに留意されたい。本発明は、前述の実施形態を参照して詳細に説明されたが、当業者ならば、本発明の実施形態の技術的な解決策の範囲から逸脱することなく、前述の実施形態で説明された技術的な解決策に対する変更を作り出すことができ、またはこれらの全ての技術的な特徴のいくつかまたは全てに対する等価な代替物を作り出すことができることを理解されたい。
【符号の説明】
【００４２】
1  携帯端末
11  筐体
12  スクリーンパネル
13  表示モジュール
111  開口部
112  縁
113  縁
114  エンクロージャ
115  部分
116  縁
117  縁
121  第1のベゼル
122  第2のベゼル
123  表示領域
124  第3のベゼル
125  第4のベゼル
131  ベゼル
132  LCD表示領域
133  導光板
1231  第1の縁
1232  第2の縁
1233  第3の縁
1234  第4の縁
【図１】
0006452804.tif 000002
【図２】
0006452804.tif 000003
【図３】
0006452804.tif 000004
【図４】
0006452804.tif 000005
【図５】
0006452804.tif 000006
【図６】
0006452804.tif 000007